(57)【要約】【課題】入力電力の瞬停が生じた場合、ランプに流す電流を減らして、ランプの放電を維持する。【解決手段】放電灯点灯装置１０は、電源２１から入力される電力の電圧をモニタするモニタ８０と、コンバータ回路３０の出力電流を検出する電流検出器７０と、コンバータ回路３０の出力電流をＰＷＭ制御するコントローラ９０とを有する。入力電圧が所定の値以下に低下した時、コントローラ９０は、通常のＰＷＭ制御とは逆に、コンバータ回路から出力される電流量を減らす。従って、装置１０の内部に蓄電されたエネルギの急速な消耗が回避され、ランプＬの管内での放電が維持される。【選択図】  図１
2004303507.tif 000002
【特許請求の範囲】
【請求項１】
電源から入力される電力を用いて負荷に電流を出力して前記負荷を所定状態に維持する無停電電源装置であって、
前記電力を保存する蓄電手段と、
前記蓄電手段から出力する前記電流を制御する制御手段と、
前記電力の電圧をモニタする電圧モニタ手段と、
を有し、前記制御手段は、前記電圧が所定の電圧値以下に低下した時、前記電流を低減して前記所定状態を維持することを特徴とする無停電電源装置。
【請求項２】
前記負荷は放電灯であり、前記所定状態は前記放電灯の管内での放電であることを特徴とする請求項１記載の無停電電源装置。
【請求項３】
放電灯の点灯を制御する放電灯点灯装置であって、
電源から入力される電力を用いて前記放電灯に電流を供給する電力供給手段と、
前記電力の入力電圧をモニタする入力電圧モニタ手段と、
前記電流の電流量を検出する電流検出手段と、
前記電流の出力電圧を検出する出力電圧検出手段と、
検出された電流量および検出された出力電圧に基づいて前記電流を制御する制御手段と
を有し、前記制御手段は、前記入力電圧が所定の値以下に低下した時、前記電流を減少させて前記放電灯内の放電を維持することを特徴とする放電灯点灯装置。
【請求項４】
放電灯の点灯を制御する放電灯点灯装置であって、
電源から入力される電力を用いて前記放電灯に電流を供給する電力供給手段と、
前記電力の入力電圧をモニタする入力電圧モニタ手段と、
前記電流の電流量を検出する電流検出手段と、
前記電流の出力電圧を検出する出力電圧検出手段と、
検出された電流量および検出された出力電圧に基づいて前記電流をＰＷＭ制御する制御手段と
を有し、前記制御手段は、前記入力電圧が所定の値以下に低下した時、ＰＷＭ制御のオンデューティ比を小さくして前記放電灯内の放電を維持することを特徴とする放電灯点灯装置。
【請求項５】
放電灯の点灯を制御する放電灯点灯装置であって、
電源から入力される電力を用いて前記放電灯に電流を供給する電力供給手段と、
前記電力の入力電圧をモニタする入力電圧モニタ手段と、
前記電流の電流量を検出する電流検出手段と、
前記電流の出力電圧を検出する出力電圧検出手段と、
検出された出力電圧及び検出された電流量に基づいて前記電流を所定電流値にＰＷＭ制御する制御手段と
を有し、前記制御手段は、前記入力電圧が所定の電圧値以下に低下した時、検出された入力電圧及び検出された電流量に基づいて前記所定電流値を減少させると共にＰＷＭ制御のオンデューティ比を小さくして前記放電灯内の放電を維持することを特徴とする放電灯点灯装置。
【請求項６】
放電灯の点灯を制御する放電灯点灯装置であって、
電源から入力される電力を用いて前記放電灯に電流を供給する電力供給手段と、
前記電力の入力電圧を検出する入力電圧検出手段と、
前記電流の電流量を検出する電流検出手段と、
前記電流の出力電圧を検出する出力電圧検出手段と、
前記電流検出手段の出力と前記出力電圧検出手段の出力とを乗算して求めた電力に応じて前記電流をＰＷＭ制御する制御手段と、
を有し、前記制御手段は、前記入力電圧が所定の電圧値以下に低下した時、検出された電流量をｋ倍（但し、ｋ＞１）した後に前記電流検出手段から出力させて前記放電灯内の放電を維持することを特徴とする放電灯点灯装置。
【請求項７】
放電灯の点灯を制御する放電灯点灯装置であって、
電源から入力される電力を用いて前記放電灯に電流を供給する電力供給手段と、
前記電力の入力電圧をモニタする入力電圧モニタ手段と、
前記電流の出力電圧を検出する出力電圧検出手段と、
前記電流の電流量を検出する電流検出手段と、
検出された出力電圧及び検出された電流量に基づいて前記電流を所定値にＰＷＭ制御する制御手段と、
を有し、前記制御手段は、前記入力電圧が所定の電圧値以下に低下した時、前記所定値を減少させて前記放電灯内の放電を維持することを特徴とする放電灯点灯装置。
【請求項８】
前記電力供給手段は、前記電力を保存する蓄電手段を含むことを特徴とする請求項３乃至請求項７記載の放電灯点灯装置。
【発明の詳細な説明】
【０００１】
【発明の属する技術分野】
本発明は、無停電電源装置及び放電灯点灯装置に関し、瞬停や瞬低が生じた場合においても接続された負荷への給電を継続して、負荷が放電灯などからなる場合は放電灯の放電を維持する無停電電源装置及び放電灯点灯装置に関する。
【０００２】
【従来の技術】
メタルハライドランプや高圧ナトリウムランプ、水銀ランプなどの高輝度放電ランプは、フィラメントを有するランプのように電圧を印加しただけでは点灯せず、またランプが安定状態に達するのに時間を費やすので、点灯を制御する点灯装置を必要とする。この点灯装置は、ランプの電極間に放電経路を作って放電経路の電流を維持しつつ増大させてアーク放電に移行させる始動器としての役割と、アーク放電が安定したらランプの特性に従ってランプの電力を制御する安定器としての役割とを備えている。
【０００３】
一般に、点灯装置は、例えば、図３に示すように、直流電源１と、直流電源１からの直流電力を調整するコンバータ２と、調整された直流電力を交流電力に変換するインバータ３と、ランプ４内で生じた放電をグロー放電からアーク放電に移行させるイグナイタ５とからなる。また、コントローラ６が、コンバータ２とインバータ３とに接続されて、コンバータ２及びインバータ３をそれぞれ制御するようになっている。
【０００４】
コントローラ６は、コンバータ２のスイッチング素子Ｑ１に制御信号を供給して、入力電力に対してＰＷＭ（ｐｕｌｓｅ  ｗｉｄｔｈ  ｍｏｄｕｌａｔｉｏｎ）制御を行い、その出力をインバータ３を介して交流に変換してランプ４に供給することで、ランプ４の電力制御を行っている。
【０００５】
例えば上記構成の点灯装置への入力が瞬停する（瞬間的に電圧が低下し、電力供給が停止する）と、インバータ３への入力電圧が低下していく。そして、ランプ４への入力電力の低下がある期間継続すると、ランプ４へ供給される電流が安定しないので消灯してしまうことがある。ランプ４が高輝度放電灯である場合、ランプ４の再点灯には、ランプ４の温度の低下と管内圧力の低下とが必要である。しかし、ランプ４は、消灯直後は、温度も管内圧力も高まっており、温度が低下し且つ圧力が低下するまでに長時間を必要とするので、再点灯が可能となるまでの待機時間が長い。この再点灯時間は、ランプ４の種類等によって異なるが、例えば５〜１５分程度必要になる。
【０００６】
また、落雷や、近所での短絡事故時の事故系の切り離しによる電圧低下や、大型機器の始動による瞬間的な過電流による電圧低下が１０〜２０ｍｓ程度に達する（瞬低が生じる）と、ランプ４が消灯することがあり、上記のように再点灯まで長い時間を要することになる。
【０００７】
そこで、入力電力の低下が生じた場合でもランプの点灯状態を維持するために、コンバータ２に設けられる平滑コンデンサの容量を増加させて点灯装置内に蓄えられる電力量を増やす構成が採られている。また、例えば特開平８−２８８０８７号公報に開示されるように、電子安定器の入力に昇圧チョッパを用いた場合には、ランプの電子安定器への入力電圧が低下したことを検出する入力電圧検出手段を設け、入力電圧が低下すると、昇圧チョッパの出力電流を増加させランプの点灯を維持するようになっている。
【０００８】
【特許文献１】特開平８−２８８０８７号公報（図１）
【０００９】
【発明が解決しようとする課題】
近年、プロジェクタやＯＨＰ、自動車用ヘッドライトなど、高輝度放電灯を使用する電子機器に対して、小型・軽量・低コストなどの要求が市場からあるので、上記の点灯装置に対しても同様な要求がある。従って、瞬停対策としてコンバータ２の平滑コンデンサの容量を増加させることは、装置の大型化を招くので、市場からの要求には反することになる。
【００１０】
また、入力電圧の低下に伴い昇圧チョッパの出力電流を増加させる方法は、入力電圧が著しく低下して停電した場合、出力電流量を増加させるので、装置内に蓄えられたエネルギを加速的に減少させてランプを消灯させてしまうことになり好ましくない。
【００１１】
本発明の目的は、上記問題点に鑑みて、停電や入力電圧の低下が生じた場合においても負荷の所定状態を維持可能とする無停電電源装置を提供することである。
【００１２】
本発明の他の目的は、停電や入力電圧の低下が生じた場合においても放電灯の管内での放電を維持して消灯を回避する放電灯点灯装置を提供することである。
【００１３】
【課題を解決するための手段】
本発明の請求項１の無停電電源装置は、電源から入力される電力を用いて負荷に電流を出力して前記負荷を所定状態に維持する無停電電源装置であって、前記電力を保存する蓄電手段と、前記蓄電手段から出力する前記電流を制御する制御手段と、前記電力の電圧をモニタする電圧モニタ手段と、を有し、前記制御手段は、前記電圧が所定の電圧値以下に低下した時、前記電流を低減して前記所定状態を維持することを特徴とする。
【００１４】
上記構成により、電源から入力される電力が所定の電圧値以下に低下すると、無停電電源装置から出力される電流が減少されて、無停電電源装置から電力が供給されている負荷を所定状態に維持する。
【００１５】
本発明の請求項２記載の無停電電源装置において、前記負荷は放電灯であり、前記所定状態は前記放電灯の管内での放電であることを特徴とする。従って、負荷が放電灯である場合は、入力電力の低下を検出した場合、無停電電源装置から供給される電流を小さくしながらも、放電灯の管内での放電を維持する。
【００１６】
本発明の請求項３記載の放電灯点灯装置は、放電灯の点灯を制御する放電灯点灯装置であって、電源から入力される電力を用いて前記放電灯に電流を供給する電力供給手段と、前記電力の入力電圧をモニタする入力電圧モニタ手段と、前記電流の電流量を検出する電流検出手段と、前記電流の出力電圧を検出する出力電圧検出手段と、検出された電流量および検出された出力電圧に基づいて前記電流を制御する制御手段とを有し、前記制御手段は、前記入力電圧が所定の値以下に低下した時、前記電流を減少させて前記放電灯内の放電を維持することを特徴とする。
【００１７】
上記構成により、電源から入力される電力が所定の電圧値以下に低下したとき、放電灯の管内での放電を維持しつつ、電力供給手段から出力される電流を減少させる。
【００１８】
本発明の請求項４記載の放電灯点灯装置は、放電灯の点灯を制御する放電灯点灯装置であって、電源から入力される電力を用いて前記放電灯に電流を供給する電力供給手段と、前記電力の入力電圧をモニタする入力電圧モニタ手段と、前記電流の電流量を検出する電流検出手段と、前記電流の出力電圧を検出する出力電圧検出手段と、検出された電流量および検出された出力電圧に基づいて前記電流をＰＷＭ制御する制御手段とを有し、前記制御手段は、前記入力電圧が所定の値以下に低下した時、ＰＷＭ制御のオンデューティを小さくして前記放電灯内の放電を維持することを特徴とする。
【００１９】
上記構成により、電源から入力される電力が所定の電圧値以下に低下したとき、放電灯の管内での放電を維持しつつ、電力供給手段から出力される電流をＰＷＭ制御する際のオンデューティを減少させて、電力供給手段から出力される電流を減少させる。
【００２０】
本発明の請求項５記載の放電灯点灯装置は、放電灯の点灯を制御する放電灯点灯装置であって、電源から入力される電力を用いて前記放電灯に電流を供給する電力供給手段と、前記電力の入力電圧をモニタする入力電圧モニタ手段と、前記電流の電流量を検出する電流検出手段と、前記電流の出力電圧を検出する出力電圧検出手段と、検出された出力電圧及び検出された電流量に基づいて前記電流を目標値にＰＷＭ制御する制御手段とを有し、前記制御手段は、前記入力電圧が所定の電圧値以下に低下した時、検出された入力電圧及び検出された電流量に基づいて前記目標値を減少させると共にＰＷＭ制御のオンデューティ比を小さくして前記放電灯内の放電を維持することを特徴とする。
【００２１】
上記構成により、電源から入力される電力が所定の電圧値以下に低下したとき、放電灯の管内での放電を維持しつつ、電力供給手段から出力される電流をＰＷＭ制御する際の目標値およびオンデューティを減少させて、電力供給手段から出力される電流を減少させる。
【００２２】
本発明の請求項６記載の放電灯点灯装置は、放電灯の点灯を制御する放電灯点灯装置であって、電源から入力される電力を用いて前記放電灯に電流を供給する電力供給手段と、前記電力の入力電圧を検出する入力電圧検出手段と、前記電流の電流量を検出する電流検出手段と、前記電流の出力電圧を検出する出力電圧検出手段と、前記電流検出手段の出力と前記出力電圧検出手段の出力とを乗算して求めた電力に応じて前記電流をＰＷＭ制御する制御手段と、を有し、前記制御手段は、前記入力電圧が所定の電圧値以下に低下した時、検出された電流量をｋ倍（但し、ｋ＞１）した後に前記電流検出手段から出力させて前記放電灯内の放電を維持することを特徴とする。
【００２３】
上記構成により、電源から入力される電力が所定の電圧値以下に低下したとき、放電灯の管内での放電を維持しつつ、電流検出手段によって検出された電流をｋ倍することで、制御手段に、電力供給手段から出力された電力が増大したと判断させて、電力供給手段から出力される電流を減少させる。
【００２４】
本発明の請求項７記載の放電灯点灯装置は、放電灯の点灯を制御する放電灯点灯装置であって、電源から入力される電力を用いて前記放電灯に電流を供給する電力供給手段と、前記電力の入力電圧をモニタする入力電圧モニタ手段と、前記電流の出力電圧を検出する出力電圧検出手段と、前記電流の電流量を検出する電流検出手段と、検出された出力電圧及び検出された電流量に基づいて前記電流を目標値にＰＷＭ制御する制御手段と、を有し、前記制御手段は、前記入力電圧が所定の電圧値以下に低下した時、前記目標値を減少させて前記放電灯内の放電を維持することを特徴とする。
【００２５】
上記構成により、電源から入力される電力が所定の電圧値以下に低下したとき、放電灯の管内での放電を維持しつつ、電流をＰＷＭ制御する際の目標値を減らすことで、電力供給手段から出力される電流を減少させる。
【００２６】
本発明の請求項８記載の放電灯点灯装置は、請求項３乃至請求項７記載の放電灯点灯装置において、前記電力供給手段は、前記電力を保存する蓄電手段を含むことを特徴とする。
【００２７】
上記構成により、電源から入力される電力が所定の電圧値以下に低下したとき、蓄電手段に保存された電力を、電力供給手段から放電灯に供給して、放電灯の管内の放電を維持する。
【００２８】
【発明の実施の形態】
本発明の実施の形態を、図面を参照して以下に説明する。図１に、本発明の放電灯点灯装置の一実施例を示す。図１において、放電灯点灯装置１０は、入力回路２０と、コンバータ回路３０と、インバータ回路４０と、イグナイタ回路５０と、出力電圧検出回路６０と、電流検出回路７０と、入力電圧低下検出回路８０と、コントローラ９０とを有し、ランプＬの点灯を制御する装置である。なお、本発明において、ランプＬとは、金属蒸気中の放電によって発光するメタルハライドランプ、高圧ナトリウムランプ、水銀ランプなどの高輝度放電ランプを指す。
【００２９】
入力回路２０は、例えば商用電源２１に接続され、商用電源２１から入力される交流電圧Ｖ０を直流電圧Ｖｉｎに整流してラインＡ及びラインＢの間に出力する。入力回路２０は、さらに内部に平滑用コンデンサ（図示せぬ）を含んで、整流された直流電圧Ｖｉｎの変動を平滑にして出力する。なお、入力回路２０は、商用電源２１を用いる代わりに、出力がＶｉｎの直流電源を使用しても良い。
【００３０】
コンバータ回路３０は、スイッチング素子（図示せぬ）を有して出力のＰＷＭ制御を行うチョッパ回路からなり、ラインＣとラインＤとの間に直流電力を出力する。なお、ラインＤ上のＧ点を基準電位とする。インバータ回路４０は、ラインＣとラインＤとの間に接続され、コンバータ回路３０から出力された直流電力を交流電力に変換してラインＥとラインＦとの間に出力する。イグナイタ回路５０は、ランプＬを始動させるためのパルス電圧を生成するものであり、イグナイタ回路５０は、その出力をインバータ回路４０の出力に重畳するようにラインＣに挿入されている。ランプＬは、インバータ回路４０の出力端子間に接続されている。
【００３１】
電圧検出回路６０は、コンバータ回路３０の出力電圧Ｖｏｕｔを検出するものであり、ラインＡとラインＢとの間に２つの抵抗Ｒ１、Ｒ２が直列に接続されて構成される。電圧検出回路５０は、コンバータ回路３０の出力電圧Ｖｏｕｔを、２つの抵抗Ｒ１、Ｒ２に分圧して検出し、出力電圧信号として出力する。
【００３２】
電流検出回路７０は、ラインＤにおいて、基準電位点Ｇとインバータ回路４０の低電位側の入力端子との間に挿入された抵抗Ｒ３からなり、コンバータ回路３０の出力電流を検出する。電流検出回路７０には、抵抗Ｒ４を介して増幅回路７２が接続され、電流検出回路７０によって検出され出力電流に相当する出力電流信号を増幅する。
【００３３】
増幅回路７２は、オペアンプ７２ａと複数の抵抗Ｒ５、Ｒ６、Ｒ７とによって構成される周知の非反転増幅回路である。抵抗Ｒ５は、オペアンプ７２ａの反転入力端子と出力端子との間に接続され、抵抗Ｒ６は、オペアンプ７２ａの反転入力端子と基準電位点Ｇとの間に接続されている。また、抵抗Ｒ６に対して、直列に接続された抵抗Ｒ７及びスイッチング素子ＳＷが並列に接続され、スイッチング素子ＳＷの導通動作によって、抵抗Ｒ６と電気的に並列に接続されて増幅回路７２の増幅度を増加させるようになっている。
【００３４】
入力電圧低下検出回路８０は、入力回路２０に接続され、入力回路２０の出力電圧Ｖｉｎをモニタする。そして、入力電圧低下検出回路８０は、出力電圧Ｖｉｎが所定値以下に低下すると、入力電圧低下検出パルスを増幅器７２のスイッチング素子ＳＷに出力して、スイッチング素子ＳＷを導通状態にする。
【００３５】
コントローラ９０は、コンバータ回路３０の出力を制御するものであり、演算回路９１と、ＰＷＭコントローラ９２とからなる。演算回路９１は、主としてマイクロコンピュータからなり、電力検出回路６０及び電流検出回路７０からの出力が入力され、両出力に基づいてコンバータ回路３０の出力電力Ｐｏｕｔを算出する。演算回路９１の出力は、デジタル値であり、ＰＷＭコントローラ９２はアナログ回路で構成されているので、演算回路９１とＰＷＭコントローラ９２との間にＤ／Ａ変換器９３を設ける。Ｄ／Ａ変換器９３は、周知のＲ−２Ｒラダーによって構成されて、デジタル値をアナログ値に変換する。Ｄ／Ａ変換器９３の出力は、作動増幅器９４に送られ、すでに検出されて増幅された出力電流の電流信号と作動増幅器９４にて比較される。ＰＷＭコントローラ９２は、作動増幅器９４の出力に応じて制御信号をコンバータ回路３０に発して、コンバータ回路３０の出力をＰＷＭ制御する。このように、放電灯点灯装置１０は構成されている。
【００３６】
次に、放電灯点灯装置１０の動作について説明する。ランプＬに入力回路２０から電流が流れ始め、イグナイタ回路５０によって始動されてランプＬの点灯状態が安定した状態、すなわち定常状態に達した後、電圧検出回路６０及び電流検出回路７０によって、コンバータ回路３０の出力電圧Ｖｏｕｔと出力電流Ｉｏｕｔを検出する。コントローラ９０では、出力電圧信号Ｖｏｕｔと出力電流信号Ｉｏｕｔとに基づいて演算回路９１にてコンバータ回路３０の出力電力を演算し、そのデジタル出力をＤ／Ａ変換器９３によってアナログ電圧に変換し、既に検出され増幅された出力電流Ｉｏｕｔに相当する電圧と比較することで、ＰＷＭコントローラ９２からＰＷＭパルスをコンバータ回路３０のスイッチング素子に印加し、コンバータ回路３０のＰＷＭ制御を行っている。
【００３７】
次に、電源２１に瞬停が起こると、入力回路２０の出力電圧Ｖｉｎは著しく減少する。ゆえに、出力電圧Ｖｉｎが所定値以下に低下すると、入力電圧低下検出回路８０は、入力電圧低下パルスを増幅器７２に向けて出力する。この入力電圧低下パルスに応答して、増幅器７２では、出力電流検出回路７０から出力される出力電流信号に対する増幅度が増加される。従って、増幅後の出力電流信号は、実際に減少が生じているにもかかわらず、演算回路９１に入力されるときには、入力電圧Ｖｉｎの低下前とほぼ同じ信号レベルに維持されたり、逆に増加することになるので、コンバータ回路３０の出力電力Ｐｏｕｔは見かけ上増えたこととなる。よって、演算回路９１で演算されるインバータ回路の出力電力は増えるので、作動増幅器９４及びＰＷＭコントローラ９２は、コンバータ回路３０の出力電流を減少するように、コンバータ回路３０を制御する。
【００３８】
このように、定常時はランプＬに対し通常のＰＷＭ制御が行われている。しかし、入力電力の瞬停が発生したときには、電流検出回路７０によって検出された出力電流Ｉｏｕｔを出力電力を演算する際に強制的に増やすことで、コントローラ９０に、出力電力が増加したと判断させている。このため、コントローラ９０は、出力電力を低下させるようなＰＷＭ制御を行うので、直ちにコンバータ回路３０の出力電流を定格以下に減少させることができる。従って、瞬停時の入力回路２０のコンデンサに蓄えられた電気エネルギの放電を抑制しつつ、ランプＬの放電を維持することで、瞬停期間中のランプＬの消灯を防ぐことができる。
【００３９】
また、入力電圧の瞬停が発生したとき、演算回路９１で特別な処理をせずにコンバータ回路３０からの出力電流を低下させているので、演算回路９１による処理時間の遅延を生じさせることなく、迅速な応答で、コンバータ回路３０からの出力電流を低下させることができる。
【００４０】
さらに、瞬停が生じてもランプＬの放電は維持されているので、瞬停から回復すると、直ちにコントローラ９０によるコンバータ回路３０の制御は、通常のＰＷＭ制御に戻るので、コンバータ回路３０の出力電流を所望の電流値に増やしてランプＬの点灯を所望の輝度に戻すことができる。
【００４１】
次に、本発明による放電灯点灯装置の第２の実施例を図２に基づいて説明する。図２において、入力電圧低下検出回路８０は、入力回路２０の入力電圧Ｖｉｎをモニタし、入力電圧Ｖｉｎが所定値以下に低下したとき、その出力をコントローラ９０のＤ／Ａ変換器９３に発する。Ｄ／Ａ変換器９３は、入力電圧低下検出回路８０からの入力に応答して、デジタル値をアナログ値に変換する際に使用されるリファレンス電圧を低下させるように構成されている。また、検出された出力電流を増幅する増幅器７２は、オペアンプ７２ａと２つの抵抗Ｒ５、Ｒ６とから構成される周知の非反転増幅回路であり、増幅度は一定とする。なお、その他の構成は図１に示す放電灯点灯装置１０と同一であり、同一の参照符号を付して詳細な説明を省略する。
【００４２】
次に、図２の放電灯点灯装置１０の瞬停時の動作について説明する。電源２１に瞬停が起こった場合、入力回路２０の出力電圧Ｖｉｎは著しく減少する。ゆえに、出力電圧Ｖｉｎが所定値以下に低下すると、入力電圧低下検出回路８０は、Ｄ／Ａ変換器９３に向けて出力を発する。一方、電圧検出回路６０によって検出された出力電圧Ｖｏｕｔに対応した電圧信号と、電流検出回路７０によって検出され増幅された出力電流Ｉｏｕｔに対応した電流信号とによって演算回路９１ではコンバータ回路３０の出力電力が算出され、その結果がＤ／Ａ変換器９３に入力される。Ｄ／Ａ変換器９３では、入力電圧低下検出回路８０の出力に反応してリファレンス電圧が低下されるので、ＰＷＭ制御を行う際の目標出力電力値が、通常時の値に比較して低くなる。従って、演算回路９１から出力されたコンバータ回路３０の出力電力Ｐｏｕｔに対し、ＰＷＭコントローラ９２は、コンバータ回路３０からの出力電流を低減するようにコンバータ回路３０に対して制御信号を発する。
【００４３】
このように、瞬停が生じた際に、コントローラ９０は、ＰＷＭ制御の目標出力電流値を下げることで、迅速にコンバータ回路３０から出力される電流値を定格以下の減少させることができる。従って、瞬停時の入力回路２０のコンデンサに蓄えられた電気エネルギの放電を抑制しつつ、ランプＬの放電を維持することで、瞬停期間中のランプＬの消灯を防ぐことができる。
【００４４】
また、入力電圧の瞬停が発生したとき、演算回路９１で特別な処理をせずにコンバータ回路３０からの出力電流を低下させているので、演算回路９１による処理時間の遅延を生じさせることなく、迅速な応答で、コンバータ回路３０からの出力電流を低下させることができる。
【００４５】
なお、上記実施例では、瞬停に反応してコンバータ回路から出力される電流を減らすようにしたが、コンバータ回路から出力される電流を減らす方法として、（１）  出力される電流のレベルを減らす方法、（２）  ＰＷＭ制御を行う際のデューティを小さくする方法、（３）  ＰＷＭ制御の目標値を減らす方法、などを用いることができる。
【００４６】
また、瞬停に反応してコンバータ回路から出力される電力を減らして、瞬停時の入力回路２０のコンデンサに蓄えられた電気エネルギの放電を抑制しつつ、ランプＬの放電を維持しつつ、瞬停期間中のランプＬの消灯を防ぐこともできる。なお、上記実施例は、本発明の好ましい実施例の一部を例示するのみであり、本発明は、上記記載の構成に限定されるものではない。
【００４７】
【発明の効果】
本発明の請求項１の無停電電源装置によれば、電源から入力される電力が所定の電圧値以下に低下したときでも、無停電電源装置から電力が供給される負荷を所定状態に維持できる。
【００４８】
本発明の請求項２記載の無停電電源装置によれば、電源から入力される電力が低下した場合、無停電電源装置から放電灯に供給される電流を小さくしながらも、放電灯の管内での放電を維持できる。
【００４９】
本発明の請求項３記載の放電灯点灯装置によれば、電源から入力される電力が所定の電圧値以下に低下しても、放電灯の管内での放電を維持できる。
【００５０】
本発明の請求項４記載の放電灯点灯装置によれば、電源から入力される電力が所定の電圧値以下に低下しても、ＰＷＭ制御のオンデューティが小さくなるので、放電灯の管内での放電を維持できる。
【００５１】
本発明の請求項５記載の放電灯点灯装置によれば、電源から入力される電力が所定の電圧値以下に低下しても、ＰＷＭ制御の目標値とオンデューティとが小さくなるので、放電灯の管内での放電を維持できる。
【００５２】
本発明の請求項６記載の放電灯点灯装置によれば、電源から入力される電力が所定の電圧値以下に低下したとき、検出された電流を見かけ上増やすことで、制御手段は電力供給手段から出力された電力が増大したと判断するので、電力供給手段から出力される電流を減少させて放電灯の管内での放電を維持できる。
【００５３】
本発明の請求項７記載の放電灯点灯装置によれば、電源から入力される電力が所定の電圧値以下に低下したとき、電流をＰＷＭ制御する際の目標値を減らすことで、放電灯の管内での放電を維持しつつ電力供給手段から出力される電流を減少できる。
【００５４】
本発明の請求項８記載の放電灯点灯装置によれば、電源から入力される電力が所定の電圧値以下に低下したときは、蓄電手段に保存された電力を電力供給手段から放電灯に供給できるので、放電灯の管内の放電を維持できる。
【図面の簡単な説明】
【図１】本発明の無停電電源装置の第１の実施例を示す構成図である。
【図２】本発明の無停電電源装置の第２の実施例を示す構成図である。
【図３】従来の放電灯点灯装置の一例を示す構成図である。
【符号の説明】
Ｌ    放電灯
１０    無停電電源装置
３０    電力供給手段
６０    出力電圧検出手段
７０    電流検出手段
８０    入力電圧モニタ手段
９０    制御手段
【図１】
2004303507.tif 000003
【図２】
2004303507.tif 000004
【図３】
2004303507.tif 000005